(57)【要約】      （修正有）【課題】傾斜地又は平地の表面の土壌の流出を防ぐことができる雨水貯留群装置を提供する。【解決手段】雨水貯留群装置Ｒは、傾斜地又は平地の表面に複数の雨水貯留容器本体１を設置する雨水貯留群装置Ｒであって、雨水貯留容器本体１は、上部に設けられた雨水貯留導入部１ａと、この雨水貯留導入部１ａの下方に設けられ、雨水貯留導入部１ａから導入された雨水を貯留する雨水貯留部１ｂと、雨水貯留部１ｂに連通するように設けられ、雨水貯留部１ｂに貯留された雨水を雨水貯留部１ｂの外部へ排水する排水口１ｃとを備えているものである。【選択図】図２
2012193560.tif 000002
【特許請求の範囲】
【請求項１】
傾斜地又は平地の表面に複数の雨水貯留容器本体を設置する雨水貯留群装置であって、
前記雨水貯留容器本体は、
上部に設けられた雨水貯留導入部と、
この雨水貯留導入部の下方に設けられ、前記雨水貯留導入部から導入された雨水を貯留する雨水貯留部と、
前記雨水貯留部に連通するように設けられ、前記雨水貯留部に貯留された雨水を前記雨水貯留部の外部へ排水する排水口とを備えている
ことを特徴とする雨水貯留群装置。
【請求項２】
傾斜地又は平地の表面に複数の雨水貯留容器本体を設置する雨水貯留方法であって、
前記雨水貯留容器本体は、
上部に設けられた雨水貯留導入部と、
この雨水貯留導入部の下方に設けられ、前記雨水貯留導入部から導入された雨水を貯留する雨水貯留部と、
前記雨水貯留部に連通するように設けられ、前記雨水貯留部に貯留された雨水を前記雨水貯留部の外部へ排水する排水口とを備えている
ことを特徴とする雨水貯留方法。
【請求項３】
傾斜地又は平地の表面に設置された雨水貯留容器本体と、
前記雨水貯留容器本体の上部に設けられた雨水貯留導入部と、
この雨水貯留導入部の下方に設けられ、前記雨水貯留導入部から導入された雨水を貯留する雨水貯留部と、
前記雨水貯留部に連通するように設けられ、前記雨水貯留部に貯留された雨水を前記雨水貯留部の外部へ排水する排水口とを備えている
ことを特徴とする雨水貯留装置。
【請求項４】
雨水貯留容器本体は、下端に向かって先細り形状となり、
傾斜地又は平地の土壌中の前記雨水貯留容器本体の部位に排水口が位置していることを特徴とする請求項３記載の雨水貯留装置。
【発明の詳細な説明】
【技術分野】
【０００１】
本発明は、雨水貯留群装置、雨水貯留装置及び雨水貯留方法に係り、特に、傾斜地又は平地の表面の土壌の流出を防ぐことができる雨水貯留群装置、雨水貯留装置及び雨水貯留方法に関する。
【背景技術】
【０００２】
従来、山間地の傾斜地等に短時間に多量の雨が降った場合、傾斜地の表面の土壌が流出するという実情がある。
【発明の概要】
【発明が解決しようとする課題】
【０００３】
本発明は、上記実情を考慮してなされたもので、斜地又は平地の表面の土壌の流出を簡易な手段により防ぐことができる雨水貯留群装置、雨水貯留装置及び雨水貯留方法を提供することを目的とする。
【課題を解決するための手段】
【０００４】
請求項１記載の雨水貯留群装置は、傾斜地又は平地の表面に複数の雨水貯留容器本体を設置する雨水貯留群装置であって、前記雨水貯留容器本体は、上部に設けられた雨水貯留導入部と、この雨水貯留導入部の下方に設けられ、前記雨水貯留導入部から導入された雨水を貯留する雨水貯留部と、前記雨水貯留部に連通するように設けられ、前記雨水貯留部に貯留された雨水を前記雨水貯留部の外部へ排水する排水口とを備えているものである。
【０００５】
また、請求項２記載の雨水貯留方法は、傾斜地又は平地の表面に複数の雨水貯留容器本体を設置する雨水貯留方法であって、前記雨水貯留容器本体は、上部に設けられた雨水貯留導入部と、この雨水貯留導入部の下方に設けられ、前記雨水貯留導入部から導入された雨水を貯留する雨水貯留部と、前記雨水貯留部に連通するように設けられ、前記雨水貯留部に貯留された雨水を前記雨水貯留部の外部へ排水する排水口とを備えているものである。
【０００６】
また、請求項３記載の雨水貯留装置は、傾斜地又は平地の表面に設置された雨水貯留容器本体と、前記雨水貯留容器本体の上部に設けられた雨水貯留導入部と、この雨水貯留導入部の下方に設けられ、前記雨水貯留導入部から導入された雨水を貯留する雨水貯留部と、前記雨水貯留部に連通するように設けられ、前記雨水貯留部に貯留された雨水を前記雨水貯留部の外部へ排水する排水口とを備えているものである。
【０００７】
また、請求項４記載の雨水貯留装置は、請求項３記載の雨水貯留装置において、雨水貯留容器本体は、下端に向かって先細り形状となり、傾斜地又は平地の土壌中の前記雨水貯留容器本体の部位に排水口が位置しているものである。
【発明の効果】
【０００８】
請求項１記載の雨水貯留群装置によれば、雨水貯留容器本体を傾斜地又は平地の表面に複数設置するため、傾斜地又は平地に降る雨を、傾斜地又は平地の表面に直接接触させないようにして、傾斜地又は平地の表面の土壌の流出を防ぎ、しかも、雨水を雨水貯留容器本体のそれぞれの雨水貯留部に一次的に貯留し、且つ、徐々に水を排出して、河川等に流すため、急激な雨量増大に伴う自然災害を防いで、環境破壊をも防止することができる。
【０００９】
また、請求項２記載の雨水貯留方法によれば、雨水貯留容器本体を傾斜地又は平地の表面に複数設置するため、傾斜地又は平地に降る雨を、傾斜地又は平地の表面に直接接触させないようにして、傾斜地又は平地の表面の土壌の流出を防ぎ、しかも、雨水を雨水貯留容器本体のそれぞれの雨水貯留部に一次的に貯留し、且つ、徐々に水を排出して、河川等に流すため、急激な雨量増大に伴う自然災害を防いで、環境破壊をも防止することができる。
【００１０】
また、請求項３記載の雨水貯留装置によれば、雨水貯留容器本体を傾斜地又は平地の表面に設置するため、傾斜地又は平地に降る雨は、傾斜地又は平地の表面に直接降らず、該表面の土壌の流出を防ぐことができる。
【００１１】
また、請求項４記載の雨水貯留装置によれば、前述の請求項３記載の発明の効果に加え、雨水貯留容器本体は、下端に向かって先細り形状となっているため、雨水貯留容器本体を傾斜地又は平地の表面に設置し易く、しかも、傾斜地又は平地の土壌中の前記雨水貯留容器本体の部位に排水口が位置しているため、排水口からの貯留された雨水を傾斜地又は平地の土壌中に導くことができる。
【図面の簡単な説明】
【００１２】
【図１】図１は、本発明の一実施例の雨水貯留群装置の使用状態を示す概略的斜視図である。
【図２】図２は、図１の２−２線による概略的断面図である。
【図３】図３は、図２の雨水貯留群装置の使用状態と異なる他の実施例の雨水貯留群装置の概略的断面図である。
【図４】図４は、図２の雨水貯留群装置と異なる他の実施例の雨水貯留群装置を示す概略的斜視図である。
【図５】図５は、図４の５−５線による概略的断面図である。
【図６】図６は、図４の雨水貯留群装置に使用される単一の雨水貯留装置の概略的斜視図である。
【図７】図７は、図６の雨水貯留装置と異なる他の実施例の雨水貯留装置の概略的斜視図である。
【発明を実施するための形態】
【００１３】
本発明の一実施例の雨水貯留群装置、雨水貯留装置及び雨水貯留方法を図面を参照して説明する。
図１に示すＲは，山間地、河川等の傾斜地（又は、図示しない平地）に複数の雨水貯留容器本体１を設置された雨水貯留群装置である。
【００１４】
雨水貯留容器本体１は、例えば、合成樹脂で成形され、縦約１０ｍ、横約２ｍ、深さ約０．  １ｍ〜約０．２ｍの大きさで、
上部に設けられた雨水貯留導入部１ａと、この雨水貯留導入部１ａの下方に設けられ、雨水貯留導入部１ａから導入された雨水を貯留する雨水貯留部１ｂと、雨水貯留部１ｂに連通するように設けられ、雨水貯留部１ｂに貯留された雨水を雨水貯留部１ｂの外部へ排水する排水口１ｃとを備えている。
なお、雨水貯留容器本体１を図１に示すように、並設する際、そのまま設置しても良いが、下方に移動するため、傾斜地（又は、図示しない平地）の設置部位を図２に示すように、少し掘って凹所２を設け、該凹所２に雨水貯留容器本体１を設置するようにする。
望ましくは、図３に示すように、雨水貯留容器本体１の下方に位置する部位に杭３を打ち込んで、雨水貯留容器本体１の下方への移動を阻止するようにする。
また、雨水貯留部１ｂ内には、図示しない綿、高分子吸収剤等を収納するようにして雨水貯留部１ｂ内の水を保水するようにしても良い。
【００１５】
従って、傾斜地又は平地の表面に複数の雨水貯留容器本体１を設置する雨水貯留群装置（又は、雨水貯留方法）にあっては、傾斜地又は平地に降る雨を、傾斜地又は平地の表面に直接接触させないようにして、傾斜地又は平地の表面の土壌の流出を防ぎ、しかも、雨水を雨水貯留容器本体１のそれぞれの雨水貯留部１ｂに一次的に貯留し、且つ、徐々に水を排出して、河川等に流すため、急激な雨量増大に伴う自然災害を防いで、環境破壊をも防止することができる。
【００１６】
なお、上述した図１乃至図３記載の実施例にあっては、比較的大きな雨水貯留容器本体１であったが、本願発明にあっては、これに限らず、例えば、図４乃至図６記載の雨水貯留容器本体１でも良い。
即ち、図４及び図５記載の雨水貯留群装置Ｒは、図６記載の雨水貯留容器本体１を傾斜地（又は平地）の表面に複数設置したものである。
図６記載の雨水貯留容器本体１も図２及び図３記載の雨水貯留容器本体１と同様に、上部に設けられた雨水貯留導入部１ａと、この雨水貯留導入部１ａの下方に設けられ、雨水貯留導入部１ａから導入された雨水を貯留する雨水貯留部１ｂと、雨水貯留部１ｂに連通するように設けられ、雨水貯留部１ｂに貯留された雨水を雨水貯留部１ｂの外部へ排水する排水口１ｃとを備えている。
また、雨水貯留容器本体１の形状は、先端が円形状で土壌へ突き刺して固定することが容易でない。かかる場合、図７に示すように、雨水貯留容器本体１の形状を下端に向かって先細り形状に形成する。
この場合、傾斜地（又は平地）の土壌中の雨水貯留容器本体１の部位に排水口１ｃが位置することとなる。
【符号の説明】
【００１７】
Ｒ        雨水貯留群装置
１        雨水貯留容器本体
１ａ      雨水貯留導入部
１ｂ      雨水貯留部
１ｃ      排水口
【図１】
2012193560.tif 000003
【図２】
2012193560.tif 000004
【図３】
2012193560.tif 000005
【図４】
2012193560.tif 000006
【図５】
2012193560.tif 000007
【図６】
2012193560.tif 000008
【図７】
2012193560.tif 000009